(57)【要約】【課題】カートリッジをカートリッジ装着部にスムーズに装着することができるインクリボン送り機構を提供する。【解決手段】カートリッジ装着部と、カートリッジがカートリッジ装着部に装着されるときに、第１繰出しコア１０７に挿入される第１繰出し回転子２３と、第１繰出し回転子２３に設けられ、第１繰出し回転子２３が回転するときに、複数のコア側係合部１２１と係合する複数の回転子側係合部４５とを備え、回転子側係合部４５は、突当部４７を有し、カートリッジがカートリッジ装着部に装着されるときに、コア側係合部１２１が突当部４７に突き当たると、第１繰出しコア１０７および第１繰出し回転子２３の一方が他方に対して回転することで、回転子側係合部４５がコア側挿入凹部１２３に挿入され、複数の突当部４７は、カートリッジの装着方向において相互に異なる位置に設けられている。【選択図】図１２
2020189457.tif 000002
【特許請求の範囲】
【請求項１】
インクリボンが巻回され、周方向において複数のコア側係合部および複数のコア側挿入凹部がそれぞれ交互に設けられた繰出しコア、を備えたカートリッジが装着されるカートリッジ装着部と、
前記カートリッジ装着部に設けられた繰出し軸と、
前記繰出し軸に回転可能に設けられ、前記カートリッジが前記カートリッジ装着部に装着されるときに、前記繰出しコアに挿入される繰出し回転子と、
前記繰出し回転子の外周面に、径方向に突出して設けられ、前記繰出し回転子が回転するときに、複数の前記コア側係合部と係合する複数の回転子側係合部と、を備え、
複数の前記回転子側係合部は、前記カートリッジの装着方向手前側に設けられた突当部を有し、前記カートリッジが前記カートリッジ装着部に装着されるときに、前記カートリッジの装着方向奥側に設けられた前記コア側係合部が前記突当部に突き当たると、前記繰出しコアおよび前記繰出し回転子の一方が他方に対して回転することで、前記回転子側係合部が前記コア側挿入凹部に挿入され、
複数の前記突当部は、前記カートリッジの装着方向において相互に異なる位置に設けられていることを特徴とするインクリボン送り機構。
【請求項２】
前記回転子側係合部は、前記突当部よりも前記繰出し回転子の径方向内側且つ前記装着方向手前側に設けられたガイド斜面、を有し、
前記ガイド斜面は、前記カートリッジが前記カートリッジ装着部に装着されるときに、前記ガイド斜面に突き当たった前記繰出し回転子を、前記繰出し回転子の径方向外側にガイドすることを特徴とする請求項１に記載のインクリボン送り機構。
【請求項３】
複数の前記ガイド斜面は、前記装着方向において相互に異なる位置に設けられていることを特徴とする請求項２に記載のインクリボン送り機構。
【請求項４】
前記繰出し回転子は、前記装着方向手前側の角部が面取りされた面取り部、を有することを特徴とする請求項３に記載のインクリボン送り機構。
【請求項５】
前記面取り部は、最も前記装着方向手前側に設けられた前記ガイド斜面と連続していることを特徴とする請求項４に記載のインクリボン送り機構。
【請求項６】
インクリボンが巻回され、周方向において複数のコア側係合部および複数のコア側挿入凹部がそれぞれ交互に設けられた繰出しコア、を備えたカートリッジが装着されるカートリッジ装着部と、
前記カートリッジ装着部に設けられた繰出し軸と、
前記繰出し軸に回転可能に設けられ、前記カートリッジが前記カートリッジ装着部に装着されるときに、前記繰出しコアに挿入される繰出し回転子と、
前記繰出し回転子の外周面に、径方向に突出して設けられ、前記繰出し回転子が回転するときに、複数の前記コア側係合部と係合する複数の回転子側係合部と、
プラテンローラーとの間で前記インクリボンおよび印刷テープを挟持し、前記印刷テープに印刷を行う印刷ヘッドと、を備え、
複数の前記回転子側係合部は、前記カートリッジの装着方向手前側に設けられた突当部を有し、前記カートリッジが前記カートリッジ装着部に装着されるときに、前記カートリッジの装着方向奥側に設けられた前記コア側係合部が前記突当部に突き当たると、前記繰出しコアおよび前記繰出し回転子の少なくとも一方が回転することで、前記回転子側係合部が前記コア側挿入凹部に挿入され、
複数の前記突当部は、前記カートリッジの装着方向において相互に異なる位置に設けられていることを特徴とするテープ印刷装置。
【発明の詳細な説明】
【技術分野】
【０００１】
本発明は、インクリボンを送るインクリボン送り機構およびテープ印刷装置に関するものである。
【背景技術】
【０００２】
従来、特許文献１が開示するように、巻取りコアを備えたリボンカートリッジが搭載されるカートリッジ搭載部と、カートリッジ搭載部に設けられた巻取りボビンとを備えたリボン巻取り機構が知られている。巻取りボビンには、複数のボビン側リブが設けられている。ボビン側リブは、リボンカートリッジがカートリッジ搭載部に装着されるときに、巻取りコアに設けられた複数のコア側リブの相互間に挿入され、巻取りボビンが回転するときに、コア側リブと係合する。
【先行技術文献】
【特許文献】
【０００３】
【特許文献１】特開２００２−２２５３７２号公報
【発明の概要】
【発明が解決しようとする課題】
【０００４】
従来のリボン巻取り機構では、複数のボビン側リブの先端部が、装着方向において同じ位置に設けられている。このため、リボンカートリッジがカートリッジ搭載部に装着されるときに、複数のコア側リブが複数のボビン側リブの先端部に同時に突き当たる場合がある。この場合、巻取りボビンおよび巻取りコアの一方が他方に対して回転することができない状態となり、ボビン側リブがコア側リブの相互間に挿入されないために、ユーザーが、リボンカートリッジをスムーズに装着することができないおそれがある。
【課題を解決するための手段】
【０００５】
本発明のインクリボン送り機構は、インクリボンが巻回され、周方向において複数のコア側係合部および複数のコア側挿入凹部がそれぞれ交互に設けられた繰出しコア、を備えたカートリッジが装着されるカートリッジ装着部と、カートリッジ装着部に設けられた繰出し軸と、繰出し軸に回転可能に設けられ、カートリッジがカートリッジ装着部に装着されるときに、繰出しコアに挿入される繰出し回転子と、繰出し回転子の外周面に、径方向に突出して設けられ、繰出し回転子が回転するときに、複数のコア側係合部と係合する複数の回転子側係合部と、を備え、複数の回転子側係合部は、カートリッジの装着方向手前側に設けられた突当部を有し、カートリッジがカートリッジ装着部に装着されるときに、カートリッジの装着方向奥側に設けられたコア側係合部が突当部に突き当たると、繰出しコアおよび繰出し回転子の一方が他方に対して回転することで、回転子側係合部がコア側挿入凹部に挿入され、複数の突当部は、カートリッジの装着方向において相互に異なる位置に設けられている。
【０００６】
本発明のテープ印刷装置は、インクリボンが巻回され、周方向において複数のコア側係合部および複数のコア側挿入凹部がそれぞれ交互に設けられた繰出しコア、を備えたカートリッジが装着されるカートリッジ装着部と、カートリッジ装着部に設けられた繰出し軸と、繰出し軸に回転可能に設けられ、カートリッジがカートリッジ装着部に装着されるときに、繰出しコアに挿入される繰出し回転子と、繰出し回転子の外周面に、径方向に突出して設けられ、繰出し回転子が回転するときに、複数のコア側係合部と係合する複数の回転子側係合部と、プラテンローラーとの間でインクリボンおよび印刷テープを挟持し、印刷テープに印刷を行う印刷ヘッドと、を備え、複数の回転子側係合部は、カートリッジの装着方向手前側に設けられた突当部を有し、カートリッジがカートリッジ装着部に装着されるときに、カートリッジの装着方向奥側に設けられたコア側係合部が突当部に突き当たると、繰出しコアおよび繰出し回転子の少なくとも一方が回転することで、回転子側係合部がコア側挿入凹部に挿入され、複数の突当部は、カートリッジの装着方向において相互に異なる位置に設けられている。
【図面の簡単な説明】
【０００７】
【図１】テープカートリッジがカートリッジ装着部に装着された状態のテープ印刷装置を＋Ｚ側から見た図である。
【図２】リボンカートリッジがカートリッジ装着部に装着された状態のテープ印刷装置を＋Ｚ側から見た図である。
【図３】テープカートリッジおよびリボンカートリッジのいずれもカートリッジ装着部に装着されていない状態のテープ印刷装置を＋Ｚ側から見た図である。
【図４】テープカートリッジおよびリボンカートリッジのいずれもカートリッジ装着部に装着されていない状態のテープ印刷装置の斜視図である。
【図５】第１繰出しコアの斜視図である。
【図６】第１繰出しコアを−Ｙ側から見た図である。
【図７】第１繰出しコアを−Ｚ側から見た図である。
【図８】第１繰出し回転子の斜視図である。
【図９】第１繰出し回転子を−Ｙ側から見た図である。
【図１０】第１繰出し回転子を＋Ｚ側から見た図である。
【図１１】第１繰出しコアに挿入された第１繰出し回転子の断面図である。
【図１２】第１繰出しコアに挿入されるときの第１繰出し回転子を−Ｙ側から見た図である。
【図１３】変形例に係る第１繰出しコアの斜視図である。
【図１４】変形例に係る第１繰出しコアを−Ｙ側から見た図である。
【図１５】変形例に係る第１繰出しコアを−Ｚ側から見た図である。
【図１６】変形例に係る第１繰出し回転子の斜視図である。
【図１７】変形例に係る第１繰出し回転子を−Ｙ側から見た図である。
【図１８】変形例に係る第１繰出し回転子を＋Ｚ側から見た図である。
【図１９】第１繰出しコアに挿入された、変形例に係る第１繰出し回転子の斜視図である。
【図２０】第１繰出しコアに挿入された、変形例に係る第１繰出し回転子の断面図である。
【図２１】変形例に係る第１繰出しコアに挿入された、変形例に係る第１繰出し回転子の斜視図である。
【図２２】変形例に係る第１繰出しコアに挿入された、変形例に係る第１繰出し回転子の断面図である。
【図２３】中心がずれた状態で第１繰出しコアに挿入された、変形例に係る第１繰出し回転子の断面図である。
【発明を実施するための形態】
【０００８】
以下、添付の図面を参照しつつ、インクリボン送り機構およびテープ印刷装置の一実施形態について説明する。なお、以下の図面では、ＸＹＺ直交座標系を表示するが、説明の便宜上のものにすぎず、以下の実施形態を何ら限定するものではない。また、各部の個数などを示す数値は、いずれも例示にすぎず、以下の実施形態を何ら限定するものではない。
【０００９】
［第１実施形態］
図１ないし図３に示すように、第１実施形態のテープ印刷装置１は、テープカートリッジ１０１およびリボンカートリッジ２０１が択一的に装着されるカートリッジ装着部３を備えている。なお、図示省略したが、テープ印刷装置１は、カートリッジ装着部３を開閉する装着部カバーを備えている。
【００１０】
図１に示すように、テープカートリッジ１０１は、テープコア１０３と、第１プラテンローラー１０５と、第１繰出しコア１０７と、第１巻取りコア１０９と、これらを収容した第１カートリッジケース１１１とを備えている。テープコア１０３には、第１印刷テープ１１３が巻回されている。テープコア１０３から繰り出された第１印刷テープ１１３は、第１カートリッジケース１１１の−Ｘ側の周壁部に設けられたテープ送出口１１５から、第１カートリッジケース１１１外へ送り出される。第１繰出しコア１０７には、第１インクリボン１１７が巻回されている。第１繰出しコア１０７から繰り出された第１インクリボン１１７は、第１巻取りコア１０９に巻き取られる。第１カートリッジケース１１１には、第１ヘッド挿通孔１１９が、Ｚ方向に貫通して設けられている。
【００１１】
図２に示すように、リボンカートリッジ２０１は、第２プラテンローラー２０５と、第２繰出しコア２０７と、第２巻取りコア２０９と、これらを収容した第２カートリッジケース２１１とを備えている。第２繰出しコア２０７には、第２インクリボン２１７が巻回されている。第２繰出しコア２０７から繰り出された第２インクリボン２１７は、第２巻取りコア２０９に巻き取られる。第２カートリッジケース２１１には、第２ヘッド挿通孔２１９が、Ｚ方向に貫通して設けられている。また、第２カートリッジケース２１１には、第２テープ経路２２０が設けられている。第２テープ経路２２０には、図示省略したが、テープ印刷装置１外に設けられたテープロールから繰り出された第２印刷テープが導入される。
【００１２】
なお、未使用状態のテープロールにおける第２印刷テープの長さおよび未使用状態のリボンカートリッジ２０１に収容された第２インクリボン２１７の長さは、特に限定されるものではないが、本実施形態では、それぞれ、未使用状態のテープカートリッジ１０１に収容された第１印刷テープ１１３の長さおよび第１インクリボン１１７の長さよりも長くなっている。このため、例えば、一度に大量のラベルを作成する場合に、リボンカートリッジ２０１がカートリッジ装着部３に装着される。
【００１３】
図３および図４に示すように、カートリッジ装着部３は、＋Ｚ側が開放された凹状に形成されている。カートリッジ装着部３の底面すなわち−Ｚ側の面である装着底面５には、印刷ヘッド７およびヘッドカバー９が＋Ｚ側に突出して設けられている。印刷ヘッド７は、発熱素子を備えたサーマルヘッドである。ヘッドカバー９は、印刷ヘッド７の一部を覆っている。ヘッドカバー９は、テープカートリッジ１０１がカートリッジ装着部３に装着されるときに、第１ヘッド挿通孔１１９に挿通され（図１参照）、テープカートリッジ１０１の装着をガイドする。また、ヘッドカバー９は、リボンカートリッジ２０１がカートリッジ装着部３に装着される際に、第２ヘッド挿通孔２１９に挿通され（図２参照）、リボンカートリッジ２０１の装着をガイドする。
【００１４】
また、装着底面５には、−Ｘ側から順に、プラテン軸１１と、第１巻取り軸１５と、第１繰出し軸１３と、第２繰出し軸１７と、第２巻取り軸１９とが、＋Ｚ側に突出して設けられている。
【００１５】
プラテン軸１１は、印刷ヘッド７の＋Ｙ側に設けられている。プラテン軸１１は、第１繰出し軸１３、第１巻取り軸１５、第２繰出し軸１７および第２巻取り軸１９に比べて、＋Ｚ側への突出量が大きい。プラテン軸１１は、テープカートリッジ１０１がカートリッジ装着部３に装着されるときに、第１プラテンローラー１０５に挿通され（図１参照）、ヘッドカバー９と共に、テープカートリッジ１０１の装着をガイドする。また、プラテン軸１１は、リボンカートリッジ２０１がカートリッジ装着部３に装着されるときに、第２プラテンローラー２０５に挿通され（図２参照）、ヘッドカバー９と共に、リボンカートリッジ２０１の装着をガイドする。なお、装着方向とは、テープカートリッジ１０１の装着方向或いはリボンカートリッジ２０１の装着方向を意味する。装着方向は、プラテン軸１１の延びる方向、すなわちＺ方向と平行である。また、装着方向手前側とは、＋Ｚ側を意味し、装着方向奥側とは、−Ｚ側を意味する。
【００１６】
プラテン軸１１、第１繰出し軸１３、第１巻取り軸１５、第２繰出し軸１７および第２巻取り軸１９には、それぞれ、プラテン回転子（図示省略）、第１繰出し回転子２３、第１巻取り回転子２５、第２繰出し回転子２７および第２巻取り回転子２９が、回転可能に支持されている。プラテン回転子、第１繰出し回転子２３、第１巻取り回転子２５、第２繰出し回転子２７および第２巻取り回転子２９には、送り輪列３１を介して、送りモーター３３の回転が伝達される。
【００１７】
ここで、テープカートリッジ１０１がカートリッジ装着部３に装着されたときに、テープ印刷装置１が行う印刷処理について説明する。図１に示すように、テープカートリッジ１０１がカートリッジ装着部３に装着されると、プラテン回転子、第１繰出し回転子２３および第１巻取り回転子２５が、それぞれ、第１プラテンローラー１０５、第１繰出しコア１０７および第１巻取りコア１０９に挿入される。テープカートリッジ１０１がカートリッジ装着部３に装着された後、装着部カバーが閉められると、図示省略したヘッド移動機構により、印刷ヘッド７がプラテン軸１１に向けて移動する。これにより、印刷ヘッド７と第１プラテンローラー１０５との間に、第１印刷テープ１１３および第１インクリボン１１７が挟持される。
【００１８】
この状態で、送りモーター３３が第１方向に回転すると、装着方向手前側から見て、第１プラテンローラー１０５が時計回りに回転すると共に、第１巻取りコア１０９が反時計回りに回転する。これにより、第１印刷テープ１１３が、カートリッジ装着部３の−Ｘ側に設けられたテープ排出口（図示省略）に向けて送られる共に、第１インクリボン１１７が第１巻取りコア１０９に巻き取られる。このとき、印刷ヘッド７が発熱することで、キーボード等から入力された印刷情報が第１印刷テープ１１３に印刷される。
【００１９】
第１印刷テープ１１３の印刷済み部分は、図示省略したが、カートリッジ装着部３とテープ排出口との間に設けられたカッターにより切り離される。その後、送りモーター３３が第１方向とは反対の第２方向に回転すると、装着方向手前側から見て、第１プラテンローラー１０５が反時計回りに回転すると共に、第１繰出しコア１０７が反時計回りに回転する。これにより、第１印刷テープ１１３の先端が、印刷ヘッド７と第１プラテンローラー１０５との挟持位置の近傍にくるまで、第１印刷テープ１１３が引き戻される。したがって、次に印刷される第１印刷テープ１１３の長さ方向前方に生じる余白を、短くすることができる。
【００２０】
続いて、リボンカートリッジ２０１がカートリッジ装着部３に装着されたときに、テープ印刷装置１が行う印刷処理について説明する。テープ印刷装置１は、リボンカートリッジ２０１が装着されたときにも、テープカートリッジ１０１が装着されたときと同様にして、印刷処理を行う。すなわち、図２に示すように、リボンカートリッジ２０１がカートリッジ装着部３に装着されると、プラテン回転子、第２繰出し回転子２７および第２巻取り回転子２９が、それぞれ、第２プラテンローラー２０５、第２繰出しコア２０７および第２巻取りコア２０９に挿入される。リボンカートリッジ２０１がカートリッジ装着部３に装着された後、装着部カバーが閉められると、ヘッド移動機構により、印刷ヘッド７がプラテン軸１１に向けて移動する。これにより、印刷ヘッド７と第２プラテンローラー２０５との間に、第２印刷テープおよび第２インクリボン２１７が挟持される。
【００２１】
この状態で、送りモーター３３が第１方向に回転すると、装着方向手前側から見て、第２プラテンローラー２０５が時計回りに回転すると共に、第２巻取りコア２０９が反時計回りに回転する。これにより、第２印刷テープがテープ排出口に向けて送られると共に、第２インクリボン２１７が第２巻取りコア２０９に巻き取られる。このとき、印刷ヘッド７が発熱することで、キーボード等から入力された印刷情報が第２印刷テープに印刷される。
【００２２】
第２印刷テープの印刷済み部分は、カッターにより切り離される。その後、送りモーター３３が第２方向に回転すると、装着方向手前側から見て、第２プラテンローラー２０５が反時計回りに回転すると共に、第２繰出しコア２０７が反時計回りに回転する。これにより、第２印刷テープの先端が、印刷ヘッド７と第２プラテンローラー２０５との挟持位置の近傍にくるまで、第２印刷テープが引き戻される。したがって、次に印刷される第２印刷テープの長さ方向前方に生じる余白を、短くすることができる。
【００２３】
なお、カートリッジ装着部３、第１繰出し軸１３、第２繰出し軸１７、第１繰出し回転子２３および第２繰出し回転子２７を備えた機構は、「インクリボン送り機構」の一例である。
【００２４】
図５ないし図７に基づいて、第１繰出しコア１０７について説明する。なお、第１繰出しコア１０７と第２繰出しコア２０７とは、同様に構成されているため、第１繰出しコア１０７について代表的に説明する。第１繰出しコア１０７は、略円筒状に形成されており、装着方向奥側の端部の内周面には、６つのコア側係合部１２１と６つのコア側挿入凹部１２３とが設けられている。コア側係合部１２１とコア側挿入凹部１２３とは、第１繰出しコア１０７の周方向において、交互に設けられている。コア側係合部１２１は、第１繰出しコア１０７の装着方向奥側の端面である奥側端面１２５よりも、装着方向奥側に突出して設けられ、コア側挿入凹部１２３は、奥側端面１２５よりも、装着方向手前側に凹んで設けられている。なお、６つのコア側係合部１２１の突出高さ、すなわち装着方向における寸法、は略同じである（図６参照）。
【００２５】
コア側係合部１２１の装着方向奥側の端部には、第１係合斜面１２７と、第２係合斜面１２９とが設けられている。第１係合斜面１２７は、装着方向奥側から見て、時計回り方向の先方に設けられ、第２係合斜面１２９は、装着方向奥側から見て、時計回り方向の後方に設けられている。第１係合斜面１２７は、コア側挿入凹部１２３側の端部が装着方向手前側となる傾斜面に形成されている。同様に、第２係合斜面１２９は、コア側挿入凹部１２３側の端部が装着方向手前側となる傾斜面に形成されている。
【００２６】
図８ないし図１０に基づいて、第１繰出し回転子２３について説明する。なお、第１繰出し回転子２３と第２繰出し回転子２７とは、同様に構成されているため、第１繰出し回転子２３について代表的に説明する。第１繰出し回転子２３には、Ｚ方向に貫通した軸挿入穴３５が設けられている。軸挿入穴３５には、第１繰出し軸１３が挿入されている。第１繰出し回転子２３は、装着方向奥側の小径部３７と、装着方向手前側の大径部３９とを備えている。小径部３７は、略円筒状に形成されており、装着方向の略中間部には、フランジ部４１が設けられている。
【００２７】
大径部３９は、小径部３７よりも大径の略円筒状に形成されている。大径部３９は、装着方向手前側の角部が面取りされた面取り部４３を備えている。これにより、テープカートリッジ１０１がカートリッジ装着部３に装着されるときに、大径部３９が第１繰出しコア１０７にスムーズに挿入される。
【００２８】
大径部３９の外周面には、３つの回転子側係合部４５が径方向に突出して設けられている。３つの回転子側係合部４５は、第１繰出し回転子２３の周方向において、略等間隔に設けられている。回転子側係合部４５は、大径部３９の装着方向奥側の端部から装着方向手前側に延在している。回転子側係合部４５は、装着方向手前側の端部に設けられた突当部４７を備えている。すなわち、回転子側係合部４５の装着方向手前側の端部は、第１繰出し回転子２３の径方向外側から見て、略山形状に形成されており、その山頂部に相当する部位が、突当部４７である。突当部４７は、第１繰出し回転子２３の径方向に延在している。
【００２９】
テープカートリッジ１０１がカートリッジ装着部３に装着されると、図１１に示すように、３つの回転子側係合部４５が、６つのコア側係合部１２１の相互間に挿入される。すなわち、３つの回転子側係合部４５は、６つのコア側挿入凹部１２３のうち、１つ置きに計３つのコア側挿入凹部１２３に挿入される。これにより、第１繰出し回転子２３が回転したときに、回転子側係合部４５がコア側係合部１２１と係合し、第１繰出し回転子２３の回転が第１繰出しコア１０７に伝達される。
【００３０】
テープカートリッジ１０１がカートリッジ装着部３に装着されるときに、コア側挿入凹部１２３が突当部４７に対向した状態でテープカートリッジ１０１が装着方向奥側に進入すると、コア側係合部１２１が突当部４７に当たることなく、回転子側係合部４５がコア側係合部１２１の相互間に挿入される。
【００３１】
一方、テープカートリッジ１０１がカートリッジ装着部３に装着されるときに、コア側係合部１２１が突当部４７に対向した状態でテープカートリッジ１０１が装着方向奥側に進入すると、コア側係合部１２１の第１係合斜面１２７或いは第２係合斜面１２９が突当部４７に突き当たる。第１係合斜面１２７が突当部４７に突き当たったときには、第１繰出し回転子２３が装着方向手前側から見て反時計回りに回転することで、回転子側係合部４５がコア側係合部１２１の相互間に挿入される。また、第２係合斜面１２９が突当部４７に突き当たったときには、第１繰出し回転子２３が装着方向手前側から見て時計回りに回転することで、回転子側係合部４５がコア側係合部１２１の相互間に挿入される。
【００３２】
ここで、図９に示すように、３つの突当部４７は、装着方向において相互に異なる位置に設けられている。図９に示した３本の２点鎖線は、３つの突当部４７の装着方向における位置の違いを示している。また、３つの回転子側係合部４５における装着方向奥側の面と、大径部３９における装着方向奥側の面とは、略面一に形成されている。換言すると、３つの回転子側係合部４５の、装着方向における長さは、それぞれ異なる。
【００３３】
ここで、本実施形態とは異なり、３つの突当部４７が、装着方向において相互に同じ位置に設けられている構成では、テープカートリッジ１０１がカートリッジ装着部３に装着されるときに、一の突当部４７に一のコア側係合部１２１の第１係合斜面１２７が突き当たるのと略同時に、他の突当部４７に他のコア側係合部１２１の第２係合斜面１２９が突き当たる場合がある。この場合、第１繰出し回転子２３を装着方向手前側から見て反時計回りに回転させる力と、時計回りに回転される力とが拮抗してしまい、第１繰出し回転子２３がいずれの方向にも回転することができない。そのため、回転子側係合部４５がコア側係合部１２１につかえてしまい、ユーザーが、テープカートリッジ１０１をカートリッジ装着部３にスムーズに装着することができない。
【００３４】
これに対し、本実施形態では、上述したように、３つの突当部４７が、装着方向において相互に異なる位置に設けられている。例えば、図１２に示すように、破線で示された回転子側係合部４５の突当部４７、すなわち最も装着方向手前側に位置する突当部４７に対し、一のコア側係合部１２１の第１係合斜面１２７が突き当たったときに、他の２つの突当部４７には、他の２つのコア側係合部１２１の第１係合斜面１２７および第２係合斜面１２９のいずれも突き当たっていない。このように、一の突当部４７に一のコア側係合部１２１の第１係合斜面１２７が突き当たるのと略同時に、他の突当部４７に他のコア側係合部１２１の第２係合斜面１２９が突き当たることが抑制される。
【００３５】
そして、一の突当部４７に一のコア側係合部１２１の第１係合斜面１２７或いは第２係合斜面１２９が突き当たることで、第１繰出し回転子２３が装着方向手前側から見て反時計回り或いは時計回りに回転することができ、回転子側係合部４５がコア側係合部１２１につかえることなく、回転子側係合部４５がコア側係合部１２１の相互間に挿入される。なお、テープカートリッジ１０１がカートリッジ装着部３に装着されるときに、３つの突当部４７のうち１つの突当部４７のみにコア側係合部１２１が突き当たってもよく、３つの突当部４７に３つのコア側係合部１２１が順に突き当たってもよい。
【００３６】
以上のように、第１実施形態のテープ印刷装置１によれば、第１繰出し回転子２３に設けられた３つの突当部４７が、装着方向において相互に異なる位置に設けられている。これにより、テープカートリッジ１０１がカートリッジ装着部３に装着されるときに、一の突当部４７に一のコア側係合部１２１の第１係合斜面１２７が突き当たるのと略同時に、他の突当部４７に他のコア側係合部１２１の第２係合斜面１２９が突き当たることが抑制される。それゆえ、一の突当部４７に一のコア側係合部１２１が突き当たったときに、第１繰出し回転子２３が回転することができ、回転子側係合部４５がコア側係合部１２１につかえることなく、回転子側係合部４５がコア側係合部１２１の相互間に挿入される。したがって、ユーザーが、テープカートリッジ１０１をカートリッジ装着部３にスムーズに装着することができる。なお、以上のことは、リボンカートリッジ２０１がカートリッジ装着部３に装着される場合についても、同様に当てはまる。
【００３７】
［第２実施形態］
続いて、第２実施形態のテープ印刷装置１、テープカートリッジ１０１およびリボンカートリッジ２０１について、説明する。第２実施形態のテープ印刷装置１、テープカートリッジ１０１およびリボンカートリッジ２０１は、それぞれ、第１実施形態のテープ印刷装置１、テープカートリッジ１０１およびリボンカートリッジ２０１と略同様に構成されているため、異なる点を中心に説明する。
【００３８】
第２実施形態のテープカートリッジ１０１は、収容された第１印刷テープ１１３および第１インクリボン１１７の幅に応じて、異なる種類の第１繰出しコア１０７を備えている。すなわち、幅の狭い第１印刷テープ１１３および第１インクリボン１１７が収容されたテープカートリッジ１０１は、上記の第１繰出しコア１０７を備えている。一方、幅の広い第１印刷テープ１１３および第１インクリボン１１７が収容されたテープカートリッジ１０１は、第１繰出しコア１０７の変形例である第１繰出しコア１０７ａを備えている。
【００３９】
同様に、第２実施形態のリボンカートリッジ２０１は、収容された第２インクリボン２１７の幅に応じて、異なる種類の第２繰出しコア２０７を備えている。すなわち、幅の狭い第２インクリボン２１７が収容されたリボンカートリッジ２０１は、上記の第２繰出しコア２０７を備えている。一方、幅の広い第２インクリボン２１７が収容されたリボンカートリッジ２０１は、第２繰出しコア２０７の変形例である第２繰出しコア２０７ａを備えている。第１繰出しコア１０７ａと第２繰出しコア２０７ａとは、同様に構成されているため、第１繰出しコア１０７ａについて代表的に説明する。
【００４０】
図１３ないし図１５に示すように、第１繰出しコア１０７ａは、６つのコア側係合部１２１を囲むリング部１３１を備えている。すなわち、第１繰出しコア１０７ａでは、６つのコア側係合部１２１が、リング部１３１の内周面から突出して設けられている。また、第１繰出しコア１０７ａのコア側係合部１２１は、第１繰出しコア１０７のコア側係合部１２１よりも厚く形成されている。このため、第１繰出しコア１０７ａの、６つのコア側係合部１２１に囲まれた空間の径Ａａ（図１５参照）は、第１繰出しコア１０７の、６つのコア側係合部１２１に囲まれた空間の径Ａ（図７参照）よりも小さい。なお、コア側係合部１２１の厚さとは、第１繰出しコア１０７或いは第１繰出しコア１０７ａの径方向における寸法を意味する。このように、第１繰出しコア１０７ａは、リング部１３１を備え、また、コア側係合部１２１が厚く形成されていることで、耐衝撃強度が向上し、テープカートリッジ１０１が落下したときなどに、コア側係合部１２１が破損することが抑制されている。
【００４１】
第２実施形態のテープ印刷装置１は、上記の第１繰出し回転子２３の変形例である第１繰出し回転子２３ａと、上記の第２繰出し回転子２７の変形例である第２繰出し回転子２７ａとを備えている。第１繰出し回転子２３ａと第２繰出し回転子２７ａとは、同様に構成されているため、第１繰出し回転子２３ａについて代表的に説明する。
【００４２】
図１６ないし図１８に示すように、第１繰出し回転子２３ａの回転子側係合部４５は、ガイド斜面４９を備えている。ガイド斜面４９は、突当部４７よりも第１繰出し回転子２３ａの径方向内側且つ装着方向手前側に設けられている。ガイド斜面４９は、略二等辺三角形状に形成されており、装着方向奥側が第１繰出し回転子２３ａの径方向外側となる傾斜面に形成されている。
【００４３】
また、上述したように、第１繰出しコア１０７ａの、６つのコア側係合部１２１に囲まれた空間の径Ａａは、第１繰出しコア１０７の、６つのコア側係合部１２１に囲まれた空間の径Ａよりも小さいため、その分、第１繰出し回転子２３ａの大径部３９の径Ｂａ（図１７参照）は、第１繰出し回転子２３の大径部３９の径Ｂ（図９参照）よりも小さくなっている。
【００４４】
なお、第１繰出し回転子２３ａにおいても、第１繰出し回転子２３と同様に、３つの突当部４７は、装着方向において相互に異なる位置に設けられている。図１７に示した３本の２点鎖線は、３つの突当部４７の装着方向における位置の違いを示している。これにより、一の突当部４７に一のコア側係合部１２１の第１係合斜面１２７が突き当たるのと略同時に、他の突当部４７に他のコア側係合部１２１の第２係合斜面１２９が突き当たることが抑制される。
【００４５】
第１繰出しコア１０７を備えたテープカートリッジ１０１が、第１繰出し回転子２３ａが設けられたカートリッジ装着部３に装着されると、図１９および図２０に示すように、第１繰出し回転子２３ａの大径部３９が第１繰出しコア１０７に挿入され、３つの回転子側係合部４５が、６つのコア側係合部１２１の相互間に挿入される。また、第１繰出しコア１０７ａを備えたテープカートリッジ１０１が、第１繰出し回転子２３ａが設けられたカートリッジ装着部３に装着されると、図２１および図２２に示すように、第１繰出し回転子２３ａの大径部３９が第１繰出しコア１０７ａに挿入され、３つの回転子側係合部４５が、６つのコア側係合部１２１の相互間に挿入される。このように、第１繰出し回転子２３ａが設けられたカートリッジ装着部３には、第１繰出しコア１０７を備えたテープカートリッジ１０１、および第１繰出しコア１０７ａを備えたテープカートリッジ１０１、のいずれをも、装着することができる。
【００４６】
ここで、上述したように、大径部３９の径が比較的小さい第１繰出し回転子２３ａが設けられたカートリッジ装着部３に、６つのコア側係合部１２１に囲まれた空間の径が比較的大きい第１繰出しコア１０７を備えたテープカートリッジ１０１が装着されるときには、大径部３９の外周面と６つのコア側係合部１２１の内周面との間に比較的大きな隙間が生じることになる（図２０参照）。このため、第１繰出し回転子２３ａの大径部３９の中心に対して第１繰出しコア１０７の中心がずれやすい。仮に、図２３に示すように、第１繰出し回転子２３ａの大径部３９の中心に対して第１繰出しコア１０７の中心がずれた状態のまま、回転子側係合部４５の突当部４７にコア側係合部１２１が突き当たると、一の突当部４７に一のコア側係合部１２１の第１係合斜面１２７が突き当たるのと略同時に、他の突当部４７に他のコア側係合部１２１の第２係合斜面１２９が突き当たるおそれがある。この場合、上述したように、第１繰出し回転子２３ａが、装着方向手前側から見て反時計回りおよび時計回りのいずれにも回転することができず、回転子側係合部４５がコア側係合部１２１の相互間に挿入されなくなってしまう。
【００４７】
これに対し、本実施形態では、第１繰出し回転子２３ａの回転子側係合部４５にガイド斜面４９が設けられているため、第１繰出し回転子２３ａの大径部３９の中心に対して第１繰出しコア１０７の中心がずれていると、コア側係合部１２１がガイド斜面４９に突き当たることになる。そして、ガイド斜面４９は、ガイド斜面４９に突き当たったコア側係合部１２１を、第１繰出し回転子２３ａの径方向外側にガイドする。これにより、第１繰出しコア１０７の中心が第１繰出し回転子２３ａの大径部３９の中心に合致するように、第１繰出しコア１０７が径方向に移動し、第１繰出しコア１０７の位置が補正される。なお、第１繰出しコア１０７は、第１カートリッジケース１１１との間隙分、第１繰出しコア１０７の径方向に移動可能である。
【００４８】
図１７に示すように、３つのガイド斜面４９は、装着方向において相互に異なる位置に設けられている。図１７に示した３本の１点鎖線は、３つのガイド斜面４９の装着方向における位置の違いを示している。３つのガイド斜面４９のうち、最も装着方向手前側に設けられたガイド斜面４９は、大径部３９に設けられた面取り部４３と連続している。このため、テープカートリッジ１０１がカートリッジ装着部３に装着されるときに、面取り部４３に突き当たったコア側係合部１２１が、ガイド斜面４９にスムーズに導かれる。なお、最も装着方向奥側に設けられたガイド斜面４９は、最も装着方向手前側に設けられた突当部４７より、装着方向手前側に設けられている。
【００４９】
ここで、本実施形態とは異なり、３つのガイド斜面４９が、装着方向において相互に同じ位置に設けられている構成では、テープカートリッジ１０１がカートリッジ装着部３に装着されるときに、一のガイド斜面４９に一のコア側係合部１２１が突き当たるのと略同時に、他のガイド斜面４９に他のコア側係合部１２１が突き当たる場合がある。この場合、一のガイド斜面４９に突き当たった一のコア側係合部１２１がガイドされる力と、他のガイド斜面４９に突き当たった他のコア側係合部１２１がガイドされる力とが拮抗してしまい、第１繰出しコア１０７がいずれの方向にも移動できないおそれがある。
【００５０】
これに対し、本実施形態では、上述したように、３つのガイド斜面４９が、装着方向において相互に異なる位置に設けられている。これにより、一のガイド斜面４９に一のコア側係合部１２１が突き当たるのと略同時に、他のガイド斜面４９に他のコア側係合部１２１が突き当たることが抑制される。そして、一のガイド斜面４９に一のコア側係合部１２１が突き当たることで、第１繰出しコア１０７の中心が第１繰出し回転子２３ａの大径部３９の中心に合致するように、第１繰出しコア１０７が移動する。したがって、第１繰出し回転子２３ａの大径部３９の中心に対して第１繰出しコア１０７の中心がずれた状態のまま、回転子側係合部４５の突当部４７にコア側係合部１２１が突き当たることを、抑制することができる。なお、テープカートリッジ１０１がカートリッジ装着部３に装着されるときに、一のガイド斜面４９に一のコア側係合部１２１が突き当たり、他の２つのガイド斜面４９には他の２つのコア側係合部１２１が突き当たらなくてもよく、３つのガイド斜面４９に３つのコア側係合部１２１が順に突き当たってもよい。
【００５１】
以上のように、第２実施形態のテープ印刷装置１によれば、第１実施形態のテープ印刷装置１と同様に、第１繰出し回転子２３ａに設けられた３つの突当部４７が、装着方向において相互に異なる位置に設けられている。これにより、テープカートリッジ１０１がカートリッジ装着部３に装着されるときに、一の突当部４７に一のコア側係合部１２１の第１係合斜面１２７が突き当たるのと略同時に、他の突当部４７に他のコア側係合部１２１の第２係合斜面１２９が突き当たることが抑制される。それゆえ、一の突当部４７に一のコア側係合部１２１が突き当たったときに、第１繰出し回転子２３ａが回転することができ、回転子側係合部４５がコア側係合部１２１につかえることなく、回転子側係合部４５がコア側係合部１２１の相互間に挿入される。したがって、ユーザーが、テープカートリッジ１０１をカートリッジ装着部３にスムーズに装着することができる。なお、以上のことは、リボンカートリッジ２０１がカートリッジ装着部３に装着される場合についても、同様に当てはまる。
【００５２】
また、第２実施形態のテープ印刷装置１によれば、第１繰出し回転子２３ａにガイド斜面４９が設けられている。これにより、第１繰出しコア１０７を備えたテープカートリッジ１０１がカートリッジ装着部３に装着されるときに、第１繰出し回転子２３ａの大径部３９の中心に対して第１繰出しコア１０７の中心がずれた状態のまま、回転子側係合部４５の突当部４７にコア側係合部１２１が突き当たることが抑制される。したがって、一の突当部４７に一のコア側係合部１２１の第１係合斜面１２７が突き当たるのと略同時に、他の突当部４７に他のコア側係合部１２１の第２係合斜面１２９が突き当たることを、抑制することができる。なお、以上のことは、第１繰出しコア１０７ａを備えたテープカートリッジ１０１がカートリッジ装着部３に装着される場合についても、同様に当てはまる。また、リボンカートリッジ２０１がカートリッジ装着部３に装着される場合についても、同様に当てはまる。
【００５３】
［その他の変形例］
上記の実施形態に限定されず、その趣旨を逸脱しない範囲で種々の構成を採用可能であることは言うまでもない。例えば、上記の実施形態は、上述したほか、以下のような形態に変更することができる。
【００５４】
コア側係合部１２１が突当部４７に突き当たったときに、第１繰出し回転子２３が回転することで、回転子側係合部４５がコア側係合部１２１の相互間に挿入される構成に限定されず、第１繰出し回転子２３および第１繰出しコア１０７の一方が他方に対して回転すればよい。例えば、第１繰出しコア１０７が回転する構成でもよく、第１繰出し回転子２３および第１繰出しコア１０７が相反する方向に回転する構成でもよい。
【００５５】
３つの回転子側係合部４５における装着方向奥側の面と、大径部３９における装着方向奥側の面とは、略面一に形成され、また、３つの回転子側係合部４５の、装着方向における長さは、それぞれ異なるとしたが、これらに限定されない。すなわち、３つの突当部４７が、装着方向において相互に異なる位置に設けられていれば、３つの回転子側係合部４５における装着方向奥側の面と、大径部３９における装着方向奥側の面とは、略面一に形成されなくてもよい。また、３つの突当部４７が、装着方向において相互に異なる位置に設けられていれば、３つの回転子側係合部４５は、同じ長さであってもよい。
【００５６】
テープ印刷装置１は、第１繰出し回転子２３および第２繰出し回転子２７の双方を備えた構成に限定されず、第１繰出し回転子２３および第２繰出し回転子２７のいずれか一方を備えた構成でもよい。すなわち、カートリッジ装着部３は、テープカートリッジ１０１およびリボンカートリッジ２０１の双方が択一的に装着可能な構成に限定されず、テープカートリッジ１０１およびリボンカートリッジ２０１のいずれか一方が装着可能な構成でもよい。
また、上記した実施形態や変形例を組み合わせた構成でもよい。
【００５７】
［付記］
以下、インクリボン送り機構およびテープ印刷装置について付記する。
インクリボン送り機構は、インクリボンが巻回され、周方向において複数のコア側係合部および複数のコア側挿入凹部がそれぞれ交互に設けられた繰出しコア、を備えたカートリッジが装着されるカートリッジ装着部と、カートリッジ装着部に設けられた繰出し軸と、繰出し軸に回転可能に設けられ、カートリッジがカートリッジ装着部に装着されるときに、繰出しコアに挿入される繰出し回転子と、繰出し回転子の外周面に、径方向に突出して設けられ、繰出し回転子が回転するときに、複数のコア側係合部と係合する複数の回転子側係合部と、を備え、複数の回転子側係合部は、カートリッジの装着方向手前側に設けられた突当部を有し、カートリッジがカートリッジ装着部に装着されるときに、カートリッジの装着方向奥側に設けられたコア側係合部が突当部に突き当たると、繰出しコアおよび繰出し回転子の一方が他方に対して回転することで、回転子側係合部がコア側挿入凹部に挿入され、複数の突当部は、カートリッジの装着方向において相互に異なる位置に設けられている。
【００５８】
この構成によれば、カートリッジがカートリッジ装着部に装着されるときに、一の突当部に一のコア側係合部が突き当たるのと略同時に、他の突当部に他のコア側係合部が突き当たることが抑制される。それゆえ、一の突当部に一のコア側係合部が突き当たったときに、繰出し回転子が回転することができ、回転子側係合部がコア側係合部につかえることなく、回転子側係合部がコア側係合部の相互間に挿入される。したがって、ユーザーが、カートリッジをカートリッジ装着部にスムーズに装着することができる。
【００５９】
この場合、回転子側係合部は、突当部よりも繰出し回転子の径方向内側且つ装着方向手前側に設けられたガイド斜面、を有し、ガイド斜面は、カートリッジがカートリッジ装着部に装着されるときに、ガイド斜面に突き当たった繰出し回転子を、繰出し回転子の径方向外側にガイドすることが好ましい。
【００６０】
この構成によれば、テープカートリッジがカートリッジ装着部に装着されるときに、繰出し回転子の中心に対して繰出しコアの中心がずれた状態のまま、回転子側係合部の突当部にコア側係合部が突き当たることが抑制される。したがって、一の突当部に一のコア側係合部が突き当たるのと略同時に、他の突当部に他のコア側係合部が突き当たることを、抑制することができる。
【００６１】
この場合、複数のガイド斜面は、装着方向において相互に異なる位置に設けられていることが好ましい。
【００６２】
この構成によれば、一のガイド斜面に一のコア側係合部が突き当たるのと略同時に、他のガイド斜面に他のコア側係合部が突き当たることが抑制される。
【００６３】
この場合、繰出し回転子は、装着方向手前側の角部が面取りされた面取り部、を有することが好ましい。
【００６４】
この構成によれば、カートリッジがカートリッジ装着部に装着されるときに、繰出し回転子が繰出しコアにスムーズに挿入される。
【００６５】
この場合、面取り部は、最も装着方向手前側に設けられたガイド斜面と連続していることが好ましい。
【００６６】
この構成によれば、カートリッジがカートリッジ装着部に装着されるときに、面取り部に突き当たったコア側係合部が、ガイド斜面にスムーズに導かれる。
【００６７】
テープ印刷装置は、インクリボンが巻回され、周方向において複数のコア側係合部および複数のコア側挿入凹部がそれぞれ交互に設けられた繰出しコア、を備えたカートリッジが装着されるカートリッジ装着部と、カートリッジ装着部に設けられた繰出し軸と、繰出し軸に回転可能に設けられ、カートリッジがカートリッジ装着部に装着されるときに、繰出しコアに挿入される繰出し回転子と、繰出し回転子の外周面に、径方向に突出して設けられ、繰出し回転子が回転するときに、複数のコア側係合部と係合する複数の回転子側係合部と、プラテンローラーとの間でインクリボンおよび印刷テープを挟持し、印刷テープに印刷を行う印刷ヘッドと、を備え、複数の回転子側係合部は、カートリッジの装着方向手前側に設けられた突当部を有し、カートリッジがカートリッジ装着部に装着されるときに、カートリッジの装着方向奥側に設けられたコア側係合部が突当部に突き当たると、繰出しコアおよび繰出し回転子の少なくとも一方が回転することで、回転子側係合部がコア側挿入凹部に挿入され、複数の突当部は、カートリッジの装着方向において相互に異なる位置に設けられている。
【００６８】
この構成によれば、カートリッジがカートリッジ装着部に装着されるときに、一の突当部に一のコア側係合部が突き当たるのと略同時に、他の突当部に他のコア側係合部が突き当たることが抑制される。それゆえ、一の突当部に一のコア側係合部が突き当たったときに、繰出し回転子が回転することができ、回転子側係合部がコア側係合部につかえることなく、回転子側係合部がコア側係合部の相互間に挿入される。したがって、ユーザーが、カートリッジをカートリッジ装着部にスムーズに装着することができる。
【符号の説明】
【００６９】
１…テープ印刷装置、３…カートリッジ装着部、７…印刷ヘッド、１３…第１繰出し軸、１７…第２繰出し軸、２３…第１繰出し回転子、２３ａ…第１繰出し回転子、２７…第２繰出し回転子、２７ａ…第２繰出し回転子、４３…面取り部、４５…回転子側係合部、４７…突当部、４９…ガイド斜面、１０１…テープカートリッジ、１０７…第１繰出しコア、１０７ａ…第１繰出しコア、１１３…第１印刷テープ、１１７…第１インクリボン、１２１…コア側係合部、１２３…コア側挿入凹部、２０１…リボンカートリッジ、２０７…第２繰出しコア、２０７ａ…第２繰出しコア、２１７…第２インクリボン。
【図１】
2020189457.tif 000003
【図２】
2020189457.tif 000004
【図３】
2020189457.tif 000005
【図４】
2020189457.tif 000006
【図５】
2020189457.tif 000007
【図６】
2020189457.tif 000008
【図７】
2020189457.tif 000009
【図８】
2020189457.tif 000010
【図９】
2020189457.tif 000011
【図１０】
2020189457.tif 000012
【図１１】
2020189457.tif 000013
【図１２】
2020189457.tif 000014
【図１３】
2020189457.tif 000015
【図１４】
2020189457.tif 000016
【図１５】
2020189457.tif 000017
【図１６】
2020189457.tif 000018
【図１７】
2020189457.tif 000019
【図１８】
2020189457.tif 000020
【図１９】
2020189457.tif 000021
【図２０】
2020189457.tif 000022
【図２１】
2020189457.tif 000023
【図２２】
2020189457.tif 000024
【図２３】
2020189457.tif 000025